(57)【要約】【課題】液晶キャパシタの充電時間の不足による画質劣化を防止する。【解決手段】第1画素行に位置した複数の第1画素及び第1画素行のすぐ後の第2画素行に位置した複数の第2画素と、第1画素に第1ゲートオン電圧を伝達する第1ゲート線と、第2画素に第2ゲートオン電圧を伝達する第2ゲート線と、第1及び第2画素に接続され、一つの入力映像信号から得られたデータ電圧を伝達する複数のデータ線と、第1画素の第1入力映像信号及び第2画素の第2入力映像信号に基づいて第2画素の第2入力映像信号を補正して補正映像信号を生成する映像信号補正部、各第1及び第2ゲート線に第1ゲートオン電圧と第2ゲートオン電圧を印加するゲート駆動部と、補正映像信号を受信してデータ電圧に変換してデータ線に印加するデータ駆動部とを備える。この時、第1ゲートオン電圧と第2ゲートオン電圧は所定の時間重なる。【選択図】図４
2014081647.tif 000002
【特許請求の範囲】
【請求項１】
第１画素行に位置した第１画素と、
前記第１画素行の次段に位置する第２画素行に位置し、前記第１画素に列方向に隣接した第２画素と、
第１ゲートオン電圧を前記第１画素に伝達する第１ゲート線と、
第２ゲートオン電圧を前記第２画素に伝達する第２ゲート線と、
第１及び第２データ電圧を前記第１及び第２画素にそれぞれ伝達するデータ線と、
前記第１画素の第１入力映像信号及び前記第２画素の第２入力映像信号に基づいて第２入力映像信号を補正して補正映像信号を生成する映像信号補正部と、
前記各第１及び第２ゲート線に前記第１ゲートオン電圧と前記第２ゲートオン電圧を印加するゲート駆動部と、
前記第１入力映像信号及び前記補正映像信号を前記第１及び第２データ電圧にそれぞれ変換して前記データ線に印加するデータ駆動部とを備え、
前記第１及び第２ゲートオン電圧はそれぞれ予備充電用ゲートオン電圧と、前記予備充電用ゲートオン電圧に連続して生成される本充電用ゲートオン電圧を含み、
前記第１ゲートオン電圧の本充電用ゲートオン電圧と前記第２ゲートオン電圧の予備充電用ゲートオン電圧が少なくとも一部重なることを特徴とする表示装置。
【請求項２】
前記映像信号補正部は、
画素行の番号を計数して計数値を出力するカウンターと、
一つの画素行の第１入力映像信号を記憶するラインメモリと、を有し、
前記カウンターから印加される前記計数値及び前記ラインメモリから印加される第１入力映像信号に基づいて前記第２入力映像信号を補正することを特徴とする請求項１に記載の表示装置。
【請求項３】
前記表示装置は列反転駆動されることを特徴とする請求項２に記載の表示装置。
【請求項４】
前記予備充電用ゲートオン電圧と前記本充電用ゲートオン電圧は連続して印加されて１つのパルスをなすことを特徴とする請求項１に記載の表示装置。
【請求項５】
前記予備充電用ゲートオン電圧と前記本充電用ゲートオン電圧は所定の時間間隔をおいて印加されて互いに分離されている２つのパルスをなすことを特徴とする請求項１に記載の表示装置。
【請求項６】
第１画素行に位置した第１画素及び前記第１画素行のすぐ後に位置する第２画素行に位置し、前記第１画素に列方向に隣接した第２画素と、第１ゲートオン電圧を前記第１画素に伝達する第１ゲート線と、第２ゲートオン電圧を前記第２画素に伝達する第２ゲート線と、第１及び第２データ電圧を前記第１及び第２画素にそれぞれ伝達するデータ線と、前記第１画素の第１入力映像信号及び前記第２画素の第２入力映像信号に基づいて前記第２入力映像信号を補正して補正映像信号を生成する映像信号補正部と、前記各第１及び第２ゲート線に前記第１ゲートオン電圧と前記第２ゲートオン電圧を印加するゲート駆動部と、前記第１入力映像信号と前記補正映像信号を前記第１及び第２データ電圧にそれぞれ変換して前記データ線に印加するデータ駆動部とを備える表示装置の駆動方法において、
前記第１ゲート線に前記第１ゲートオン電圧を印加して前記第１画素に前記第１データ電圧を印加する段階と、
前記第１ゲートオン電圧が前記第１ゲート線に印加されている間、前記第２ゲート線に予備充電用ゲートオン電圧を印加して前記第２画素に前記第１データ電圧を印加する段階と、
前記第１ゲートオン電圧及び前記予備充電用ゲートオン電圧の印加を中止する段階と、
前記第２ゲート線に前記本充電用ゲートオン電圧を印加して前記第２画素に前記第２データ電圧を印加する段階と、
前記本充電用ゲートオン電圧の印加を中止する段階と
を含むことを特徴とする表示装置の駆動方法。
【請求項７】
前記第１ゲートオン電圧も予備充電用ゲートオン電圧と本充電用ゲートオン電圧を含むことを特徴とする請求項６に記載の表示装置の駆動方法。
【請求項８】
前記予備充電用ゲートオン電圧と前記本充電用ゲートオン電圧は連続して印加されて１つのパルスをなすことを特徴とする請求項７に記載の駆動方法。
【請求項９】
前記予備充電用ゲートオン電圧と前記本充電用ゲートオン電圧は所定の時間間隔をおいて印加され、互いに分離されている２つのパルスをなすことを特徴とする請求項７に記載の駆動方法。
【請求項１０】
前記表示装置は列反転駆動されることを特徴とする請求項６に記載の駆動方法。
【発明の詳細な説明】
【技術分野】
【０００１】
本発明は表示装置及びその駆動方法に関する。
【背景技術】
【０００２】
一般の液晶表示装置は、画素電極及び共通電極を具備した二つの表示板と、その間で挟持された誘電率異方性を有する液晶層とを備える。画素電極は行列状に配列されており、薄膜トランジスタ（ＴＦＴ）などスイッチング素子に接続され、一行ずつ順次にデータ信号の印加を受ける。共通電極は表示板の全面に亘って形成され、共通電圧の印加を受ける。画素電極、共通電極及びその間の液晶層は、回路的には液晶キャパシタを構成し、液晶キャパシタは、これに接続されたスイッチング素子と共に画素を構成する基本単位になる。
【０００３】
このような液晶表示装置は、二つの電極に電圧を印加して液晶層に電界を生成し、この電界の強さを調節して液晶層を通過する光の透過率を調節することによって所望の画像を得る。この時、液晶層に一方向の電界が長く印加されることによって発生する劣化現象を防止するためにフレーム毎に、行毎に、または画素毎に共通電圧に対するデータ信号の電圧極性を反転させる。
【０００４】
このような液晶表示装置は、コンピュータの表示装置のみならず、テレビなどの表示画面にも広く使用されるようになり、動画表示に対応できることが要求されている。しかしながら、液晶表示装置は、液晶の応答速度が遅く、動画表示に適していない。また、液晶表示装置は、画像データを書き込んでから次の画像データを書き込むまで、表示を保持するホールドタイプ（ｈｏｌｄ ｔｙｐｅ）の表示装置であるので、動画を表示するときにボケが生じ、解像度が低下するという、画像のブラーリング（ｂｌｕｒｒｉｎｇ）現象が発生する。
【０００５】
このような問題を解消するために、液晶キャパシタに実質的に表示に係わる正常データ電圧が印加される前に、所定の時間予備充電（ｐｒｅ-ｃｈａｒｇｉｎｇ）電圧を印加して、予め液晶分子をある程度配向させる。このようにすれば、液晶キャパシタの現在電圧と目標電圧との差が比較的に小さくなり、短時間内に目標電圧に達することができるようになる。
【０００６】
しかしながら、同一画素行に存在する複数のキャパシタに同一の大きさの正常データ電圧が印加されても、予備充電した電圧が互いに異なる場合には、液晶キャパシタに充電された電圧が互いに異なるため輝度差が生じ、画像が二重になって見えるなど画質劣化が発生する。
【発明の概要】
【発明が解決しようとする課題】
【０００７】
本発明は、前記のような従来の問題点を解決するためになされたものであって、その目的は、液晶キャパシタの充電時間の不足による画質劣化を防止することである。本発明の他の目的は、予備充電によって発生する表示装置の画質劣化を改善することである。
【課題を解決するための手段】
【０００８】
前述した目的を達成するための本１発明の一実施形態に係る表示装置は、第１画素行に位置した第１画素と、前記第１画素行の次段に位置する第２画素行に位置し、前記第１画素に列方向に隣接した第２画素と、第１ゲートオン電圧を前記第１画素に伝達する第１ゲート線と、第２ゲートオン電圧を前記第２画素に伝達する第２ゲート線と、第１及び第２データ電圧を前記第１及び第２画素にそれぞれ伝達するデータ線と、前記第１画素の第１入力映像信号及び前記第２画素の第２入力映像信号に基づいて第２入力映像信号を補正して補正映像信号を生成する映像信号補正部と、前記各第１及び第２ゲート線に前記第１ゲートオン電圧と前記第２ゲートオン電圧を印加するゲート駆動部と、前記第１入力映像信号及び前記補正映像信号を前記第１及び第２データ電圧にそれぞれ変換して前記データ線に印加するデータ駆動部とを備え、前記第１及び第２ゲートオン電圧はそれぞれ予備充電用ゲートオン電圧と、前記予備充電用ゲートオン電圧に連続して生成される本充電用ゲートオン電圧を含み、前記第１ゲートオン電圧の本充電用ゲートオン電圧と前記第２ゲートオン電圧の予備充電用ゲートオン電圧が少なくとも一部重なることを特徴とする。
【０００９】
また、第１画素行に位置した第１画素及び前記第１画素行のすぐ後に位置する第２画素行に位置し、前記第１画素に列方向に隣接した第２画素と、第１ゲートオン電圧を前記第１画素に伝達する第１ゲート線と、第２ゲートオン電圧を前記第２画素に伝達する第２ゲート線と、第１及び第２データ電圧を前記第１及び第２画素にそれぞれ伝達するデータ線と、前記第１画素の第１入力映像信号及び前記第２画素の第２入力映像信号に基づいて前記第２入力映像信号を補正して補正映像信号を生成する映像信号補正部と、前記各第１及び第２ゲート線に前記第１ゲートオン電圧と前記第２ゲートオン電圧を印加するゲート駆動部と、前記第１入力映像信号と前記補正映像信号を前記第１及び第２データ電圧にそれぞれ変換して前記データ線に印加するデータ駆動部とを備える表示装置の駆動方法において、前記第１ゲート線に前記第１ゲートオン電圧を印加して前記第１画素に前記第１データ電圧を印加する段階と、前記第１ゲートオン電圧が前記第１ゲート線に印加されている間、前記第２ゲート線に予備充電用ゲートオン電圧を印加して前記第２画素に前記第１データ電圧を印加する段階と、前記第１ゲートオン電圧及び前記予備充電用ゲートオン電圧の印加を中止する段階と、前記第２ゲート線に前記本充電用ゲートオン電圧を印加して前記第２画素に前記第２データ電圧を印加する段階と、前記本充電用ゲートオン電圧の印加を中止する段階とを含むことを特徴とする表示装置の駆動方法を提供する。
【発明の効果】
【００１０】
本発明によれば、すぐに隣接したゲート線に伝達される二つのゲートオン電圧を所定の時間重畳することによって、ゲートオン電圧の全体印加時間が増加し、これによって各画素の充電時間が増加する。さらに、データ電圧差の小さい直近の隣接した画素のデータ電圧で予備充電を行なうため、所望の大きさを有する電圧への充電が容易に行なわれる。
【００１１】
また、同一画素行において、予備充電されたデータ電圧を考慮して正常データ電圧の大きさを補正した後、画素に印加する。これにより、同一正常データ電圧で本充電がなされる同一画素行の画素で互いに異なる電圧で予備充電されるによって発生する輝度差が減少し、画質が良くなる。特に、正常データ電圧の大きさを補正するときに画素行の番号を考慮するので、データ線の配線抵抗や信号遅延などによる画質劣化が減少する。
【図面の簡単な説明】
【００１２】
【図１】本発明の一実施形態に係る液晶表示装置のブロック図である。
【図２】本発明の一実施形態に係る液晶表示装置の一つの画素に対する等価回路図である。
【図３】本発明の一実施形態に係る液晶表示装置の映像信号補正部のブロック図である。
【図４】本発明の一実施形態に係る液晶表示装置で使用される様々な信号の波形図である。
【図５】本発明の一実施形態に係る液晶表示装置で最大階調と最少階調を利用して文字Ｐを表示するときに、同一画素行に隣接している二つの画素の画素電圧の変化を説明するための図面である。
【図６】本発明の一実施形態に係る図５に示した二つの画素にそれぞれデータ電圧が印加されるときの画素電極電圧と画素電圧の変化を示したグラフである。
【図７】従来技術により図５に示した二つの画素にそれぞれデータ電圧が印加されるときの画素電極電圧と画素電圧の変化を示したグラフである。
【図８】本発明の他の実施形態によりゲート信号を生成するために液晶表示装置で使用される様々な信号の波形図である。
【発明を実施するための形態】
【００１３】
添付した図面を参照して、本発明の実施形態を、本発明が属する技術分野における通常の知識を有する者が容易に実施することができるように詳細に説明する。
【００１４】
図面は、各種層及び領域を明確に表現するために、厚さを拡大して示している。明細書全体を通じて類似した部分については同一な参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００１５】
以下、添付した図面を参照して本発明の表示装置及びその駆動方法に関する実施形態である液晶表示装置及びその駆動方法について説明する。
【００１６】
まず、図１及び図２を参照して本発明の一実施形態に係る液晶表示装置を詳細に説明する。
【００１７】
図１は、本発明の一実施形態に係る液晶表示装置のブロック図であり、図２は、本発明の一実施形態に係る液晶表示装置の一つの画素に対する等価回路図である。
【００１８】
図１に示したように、本発明の一実施形態に係る液晶表示装置は、液晶表示板組立体３００と、これに接続されたゲート駆動部４００及びデータ駆動部５００、データ駆動部５００に接続された階調電圧生成部８００、そしてこれらを制御する信号制御部６００を備える。
【００１９】
液晶表示板組立体３００は等価回路的には、複数の信号線（Ｇ１-Ｇｎ、Ｄ１-Ｄｍ）とこれに接続されほぼ行列状に配列された複数の画素（ＰＸ）を有する。反面、図２に示した構造によれば、液晶表示板組立体３００は、互いに対向する下部及び上部表示板１００、２００とその間で挟持された液晶層３を有する。
【００２０】
信号線（Ｇ１-Ｇｎ、Ｄ１-Ｄｍ）は、ゲート信号（走査信号とも言う）を伝達する複数のゲート線（Ｇ１-Ｇｎ）とデータ信号を伝達する複数のデータ線（Ｄ１-Ｄｍ）を有する。ゲート線（Ｇ１-Ｇｎ）はほぼ行方向に延びて互いにほぼ平行であり、データ線（Ｄ１-Ｄｍ）はほぼ列方向に延びて互いにほぼ平行である。
【００２１】
各画素（ＰＸ）、例えばｉ番目（ｉ＝１、２、…、ｎ）ゲート線（Ｇｉ）とｊ番目（ｊ＝１、２、…、ｍ）データ線（Ｄｊ）に接続された画素（ＰＸ）は、信号線（ＧｉＤｊ）に接続されたスイッチング素子（Ｑ）とこれに連結された液晶キャパシタ（ＣＬＣ）及びストレージキャパシタ（ＣＳＴ）を有する。ストレージキャパシタ（ＣＳＴ）は必要によって省略してもよい。
【００２２】
スイッチング素子（Ｑ）は、下部表示板１００に備えられている薄膜トランジスタなどの三端子素子であって、その制御端子はゲート線（Ｇｉ）に接続されており、入力端子はデータ線（Ｄｊ）に接続されており、出力端子は液晶キャパシタ（ＣＬＣ）及びストレージキャパシタ（ＣＳＴ）に接続されている。
【００２３】
液晶キャパシタ（ＣＬＣ）は、下部表示板１００の画素電極１９１と上部表示板２００の共通電極２７０を二つの端子とし、二つの電極１９１、２７０の間の液晶層３は誘電体として機能する。画素電極１９１はスイッチング素子（Ｑ）に接続され、共通電極２７０は上部表示板２００の全面に形成され共通電圧（Ｖｃｏｍ）の印加を受ける。図２と異なり、共通電極２７０が下部表示板１００に具備されることもあり、この場合、二つの電極１９１、２７０のうちの少なくとも一つが互いに対向するように線形または棒形状に形成できる。
【００２４】
液晶キャパシタ（ＣＬＣ）の補助的な役割を果たすストレージキャパシタ（ＣＳＴ）は、下部表示板１００に具備された別個の信号線（図示せず）と画素電極１９１が絶縁体を介在して重畳されてなり、この別個の信号線には共通電圧（Ｖｃｏｍ）などの定められた電圧が印加される。しかし、ストレージキャパシタ（ＣＳＴ）は、画素電極１９１が絶縁体を媒介としてすぐ上の前段ゲート線と重畳されてなることができる。
【００２５】
一方、色表示を実現するために各画素（ＰＸ）が基本色のうちの一つを固有に表示したり（空間分割）、各画素（ＰＸ）が時間によって交互に基本色を表示するように（時間分割）して、これら基本色の空間的、時間的作用で所望の色相が認識されるようにする。基本色の例としては赤色、緑色、青色などの三原色がある。図２は、空間分割の一例であり、各画素（ＰＸ）が画素電極１９１に対応する上部表示板２００の領域に基本色のうちの一つを示すカラーフィルタ２３０を備える。図２とは異なり、カラーフィルタ２３０は、下部表示板１００の画素電極１９１の上または下に形成することもできる。
【００２６】
液晶表示板組立体３００の外側面には光を偏光させる少なくとも一つの偏光子（図示せず）が付着されている。
【００２７】
再び図１を参照すれば、階調電圧生成部８００は画素（ＰＸ）の透過率に関連する二組の階調電圧群（または基準階調電圧群）を生成する。二組のうちの一組は共通電圧（Ｖｃｏｍ）に対して正の値を有し、もう一組は負の値を有する。
【００２８】
ゲート駆動部４００は、液晶表示板組立体３００のゲート線（Ｇ１-Ｇｎ）に接続され、ゲートオン電圧（Ｖｏｎ）とゲートオフ電圧（Ｖｏｆｆ）の組み合わせからなるゲート信号をゲート線（Ｇ１-Ｇｎ）に印加する。
【００２９】
データ駆動部５００は、液晶表示板組立体３００のデータ線（Ｄ１-Ｄｍ）に接続されており、階調電圧生成部８００からの階調電圧を選択し、これをデータ信号としてデータ線（Ｄ１-Ｄｍ）に印加する。しかし、階調電圧生成部８００が全階調に対する電圧を全て提供するのではなく、定められた数の基準階調電圧のみを提供する場合、データ駆動部５００は、基準階調電圧を分圧して全階調に対する階調電圧を生成し、その中からデータ信号を選択する。
【００３０】
信号制御部６００は、ゲート駆動部４００及びデータ駆動部５００などを制御する。
【００３１】
このような駆動装置４００、５００、６００、８００のそれぞれは、少なくとも一つの集積回路チップの形態に液晶表示板組立体３００上に直接装着されたり、フレキシブル印刷回路膜（図示せず）上に装着されてＴＣＰの形態に液晶表示板組立体３００に付着されたり、別途の印刷回路基板（図示せず）上に装着されることもできる。これとは異なり、これら駆動装置４００、５００、６００、８００が信号線（Ｇ１-Ｇｎ、Ｄ１-Ｄｍ）及び薄膜トランジスタスイッチング素子（Ｑ）などと共に液晶表示板組立体３００に集積されることもできる。また、駆動装置４００、５００、６００、８００は単一チップで集積でき、この場合、そのうちの少なくとも一つまたはそれらをなす少なくとも一つの回路素子が単一チップの外側に位置することができる。
【００３２】
次に、このような液晶表示装置の動作について詳細に説明する。
【００３３】
信号制御部６００は、外部のグラフィック制御部（図示せず）から入力映像信号（Ｒ、Ｇ、Ｂ）及びその表示を制御する入力制御信号を受信する。入力映像信号（Ｒ、Ｇ、Ｂ）は各画素（ＰＸ）の輝度情報を含み、輝度は決められた数、例えば、１０２４（＝２１０）、２５６（＝２８）または６４（＝２６）個の階調（ｇｒａｙ）を有する。入力制御信号の例には、垂直同期信号（Ｖｓｙｎｃ）と水平同期信号（Ｈｓｙｎｃ）、メインクロック（ＭＣＬＫ）、データイネーブル信号（ＤＥ）などがある。
【００３４】
信号制御部６００は、入力映像信号（Ｒ、Ｇ、Ｂ）と入力制御信号に基づいて入力映像信号（Ｒ、Ｇ、Ｂ）を液晶表示板組立体３００の動作条件に合うように適切に処理し、ゲート制御信号（ＣＯＮＴ１）及びデータ制御信号（ＣＯＮＴ２）などを生成した後、ゲート制御信号（ＣＯＮＴ１）をゲート駆動部４００に送出し、データ制御信号（ＣＯＮＴ２）と処理した映像信号（ＤＡＴ）をデータ駆動部５００に送出する。出力映像信号（ＤＡＴ）はデジタル信号として定められた数の値（または階調）を有する。
【００３５】
ゲート制御信号（ＣＯＮＴ１）は、走査開始を指示する走査開始信号（ＳＴＶ）とゲートオン電圧（Ｖｏｎ）の出力周期を制御する少なくとも一つのクロック信号を含む。ゲート制御信号（ＣＯＮＴ１）はまたゲートオン電圧（Ｖｏｎ）の持続時間を限定する出力イネーブル信号（ＯＥ）と、ゲートオン電圧（Ｖｏｎ）の出力時期を制御するゲートクロック信号（ＣＰＶ）をさらに含むことができる。
【００３６】
データ制御信号（ＣＯＮＴ２）は、一つの行の画素（ＰＸ）に対する映像データの伝送開始を知らせる水平同期開始信号（ＳＴＨ）とデータ線（Ｄ１-Ｄｍ）にデータ信号の印加を指示するロード信号（ＬＯＡＤ）及びデータクロック信号（ＨＣＬＫ）を含む。データ制御信号（ＣＯＮＴ２）はまた、共通電圧（Ｖｃｏｍ）に対するデータ信号の電圧極性（以下、共通電圧に対するデータ信号の電圧極性を略してデータ信号の極性という）を反転させる反転信号（ＲＶＳ）をさらに含むことができる。
【００３７】
信号制御部６００からのデータ制御信号（ＣＯＮＴ２）に従って、データ駆動部５００は一つの行の画素（ＰＸ）に対するデジタル映像信号（ＤＡＴ）を受信し、各デジタル映像信号（ＤＡＴ）に対応する階調電圧を選択することによって、デジタル映像信号（ＤＡＴ）をアナログデータ信号に変換した後、これを当該データ線（Ｄ１-Ｄｍ）に印加する。
【００３８】
ゲート駆動部４００は、信号制御部６００からのゲート制御信号（ＣＯＮＴ１）に従ってゲートオン電圧（Ｖｏｎ）をゲート線（Ｇ１-Ｇｎ）に印加してこのゲート線（Ｇ１-Ｇｎ）に接続されたスイッチング素子（Ｑ）を導通させる。するとデータ線（Ｄ１-Ｄｍ）に印加されたデータ信号が導通したスイッチング素子（Ｑ）を介して当該画素（ＰＸ）に印加される。
【００３９】
画素（ＰＸ）に印加されたデータ信号の電圧と共通電圧（Ｖｃｏｍ）との差は液晶キャパシタ（ＣＬＣ）の充電電圧、つまり、画素電圧として現れる。液晶分子は画素電圧の大きさによってその配列が異なり、このため、液晶層３を通過する光の偏光が変化する。このような偏光の変化は、表示板組立体３００に付着された偏光子によって光透過率の変化として現れ、これによって画素（ＰＸ）は映像信号（ＤＡＴ）の階調が示す輝度を表示する。
【００４０】
１水平周期（１Ｈともいう。水平同期信号Ｈｓｙｎｃ及びデータイネーブル信号ＤＥの一周期と同一である）を単位としてこの過程を繰り返すことによって、全ゲート線（Ｇ１-Ｇｎ）に対して順次にゲートオン電圧（Ｖｏｎ）を印加して全画素（ＰＸ）にデータ信号を印加することで１フレーム（ｆｒａｍｅ）の映像を表示する。
【００４１】
１フレームが終了すれば次のフレームが開始され、各画素（ＰＸ）に印加されるデータ信号の極性が直前フレームでの極性と逆になるようにデータ駆動部５００に印加される反転信号（ＲＶＳ）の状態が制御される（フレーム反転）。この時、１フレーム期間内でも反転信号（ＲＶＳ）の特性によって一つのデータ線を介して流れるデータ極性は変わらず、互いに隣接したデータ線を介して流れるデータ極性は逆である（列反転）。
【００４２】
一方、液晶キャパシタ（ＣＬＣ）の両端に電圧を印加すれば、両端に印加される電圧差に基づいた大きさの画素電圧が液晶キャパシタ（ＣＬＣ）に充電される。
【００４３】
しかしながら、１フレーム期間中に各画素（ＰＸ）のスイッチング素子（Ｑ）を導通させてデータ電圧を印加する時間が制限されているため、液晶キャパシタ（ＣＬＣ）の充電時間を十分に与えることができず、さらに、液晶分子の遅い応答速度のため液晶キャパシタ（ＣＬＣ）の充電時間が不足してしまう。
【００４４】
この結果、所望の輝度に対応するデータ電圧を画素（ＰＸ）に印加しても、液晶キャパシタ（ＣＬＣ）の充電時間の不足のため実際の画素電圧は目標画素電圧に達することができず、所望の輝度を得ることができない。特に、データ電圧が伝達されるデータ線の長さが長くなることによって、配線抵抗と信号遅延時間などが増加する。これにより、データ電圧を出力するデータ駆動部５００から遠くなるほど、画素（ＰＸ）の画素電極１９１に印加される電圧である画素電極電圧が、データ駆動部５００から出力されるデータ電圧より低くなり、このデータ電圧と画素電極電圧間の差は、実際の画素電圧と目標画素電圧との差を一層大きくする。
【００４５】
このように、不足した充電時間を補うために、一つの画素行の画素は自身のデータ電圧（以下、正常データ電圧という）の印加を受けて充電する本充電（ｍａｉｎ ｃｈａｒｇｉｎｇ）以外に、前の画素行の画素に対応するデータ電圧を本充電前に予め充電する（以下、予備充電用電圧を予備充電データ電圧という）予備充電を行なう。
【００４６】
次に、添付した図面を参照して本発明の実施形態に係る液晶表示装置の表示動作を説明する。
【００４７】
本発明の実施形態に係る液晶表示装置は、同一の正常データ電圧が印加される画素間において、同一の画素行において予備充電データ電圧の差によって発生する画素電圧差を補正するための映像信号補正動作を行なう。
【００４８】
このような映像信号補正動作は信号制御部６００内で行われるが、別途映像信号補正部で行われてもよく、任意の一つの画素行（ｑ）の画素（ＰＸ）に対する映像信号（以下、現在の映像信号（ｄｑ））を、すぐ前の画素行（ｑ-１）の画素（ＰＸ）に対する映像信号（以下、直前の映像信号）（ｄｑ-１）に基づいて補正し、補正された現在の映像信号（以下、補正映像信号（ｄｑ´））を形成する。
【００４９】
既に説明したように、データ電圧の反転方式は列反転である。
【００５０】
まず、図３を参照して本発明の一実施形態に係る液晶表示装置の映像信号補正部について説明する。
【００５１】
図３は、本発明の一実施形態に係る映像信号補正部のブロック図である。
【００５２】
図３に示すように、本発明の一実施形態に係る映像信号補正部６１０は、外部から印加されるデータイネーブル信号（ＤＥ）が印加されるカウンター６０１、任意の一つの画素行であるｑ番目の画素行に対応する現在の映像信号（ｄｑ）が印加されるラインメモリ６０２、カウンター６０１とラインメモリ６０２に接続されている補正部６０３を有する。
【００５３】
カウンター６０１は、入力されるデータイネーブル信号（ＤＥ）のパルス数を計数して、計数値（ｑ）を補正部６０３に出力する。即ち、計数値（ｑ）は現在の映像信号（ｄｑ）が何番目の画素行に該当するかを示す画素行の番号である。ここでｑ＝０、１、２、…ｎ-１であり、ｑ＝０が１番目の画素行である。
【００５４】
ラインメモリ６０２は、現在印加されるｑ番目の画素行に対応する現在の映像信号（ｄｑ）を記憶した後、直前に記憶されたすぐ前の画素行に対応する直前の映像信号（ｄｑ-１）を補正部６０３に出力する。映像信号補正部６１０は、図１に示した信号制御部６００に含まれてもよく、別途の装置で実現されてもよい。
【００５５】
補正部６０３は、カウンター６０１とラインメモリ６０２から印加される計数値（ｑ）、直前の映像信号（ｄｑ-１）及び現在の映像信号（ｄｑ）に基づいて現在の映像信号（ｄｑ）を補正した補正映像信号（ｄｑ´）を生成する。
【００５６】
次に、映像信号補正部６１０の動作を詳細に説明する。
【００５７】
まず、外部から現在の画素行であるｑ番目の画素行に該当する現在の映像信号（ｄｑ）が印加されれば、ラインメモリ６０２は、記憶されたすぐ前の画素行である（ｑ-１）番目の画素行に該当する直前の映像信号（ｄｑ-１）を補正部６０３に出力し、直前の映像信号（ｄｑ-１）が記憶された番地に印加された現在の映像信号（ｄｑ）を記憶する。
【００５８】
これにより、補正部６０３はカウンター６０１からの計数値（ｑ）、ラインメモリ６０２の直前の映像信号（ｄｑ-１）及び現在の映像信号（ｄｑ）に基づいて補正映像信号（ｄｑ´）を生成する。以下、詳細に説明する。
【００５９】
補正部６０３は次式（１）により補正映像信号（ｄｑ´）を生成する。
［数１］
ｄｑ´＝ｄｑ＋ｆ（ｑ、ｄｑ、ｄｑ-１）・・・（１）
前記式（１）のように、補正映像信号（ｄｑ´）は、現在の映像信号（ｄｑ）、つまり、ｑ番目の画素行の映像信号に関数（ｆ）の値を加算して生成される。
【００６０】
関数（ｆ）は次のような関係を有することを特徴とする。
【００６１】
（ａ）ｄｑ-ｄｑ-１＞０であれば、ｆ（ｑ、ｄｑ、ｄｑ-１）＞０
（ｂ）ｄｑ-ｄｑ-１＜０であれば、ｆ（ｑ、ｄｑ、ｄｑ-１）＜０
（ｃ）ｄｑ-ｄｑ-１＝０であれば、ｆ（ｑ、ｄｑ、ｄｑ-１）＝０
（ｄ）ｑ＝０であれば、ｆ（ｑ、ｄｑ、ｄｑ-１）＝０
（ｅ）ｒ＞ｑであれば、｜ｆ（ｒ、ｄｒ、ｄｒ-１）｜≧｜ｆ（ｑ、ｄｑ、ｄｑ-１）｜
なお、ｒは任意の画素行である。
【００６２】
即ち、直前の映像データ（ｄｑ-１）が現在の映像信号（ｄｑ）より大きい場合、関数（ｆ）値は０より小さい値になり、補正映像信号（ｄｑ’）は現在の映像信号（ｄｑ）より小さい値になる。
【００６３】
逆に、直前の映像データ（ｄｑ-１）が現在の画素行の映像信号である現在の映像信号（ｄｑ）より小さい場合、関数（ｆ）値は０より大きい値になって補正映像信号（ｄｑ’）は現在の映像信号（ｄｑ）より大きい値になる。また、直前の映像信号（ｄｑ-１）と現在の映像信号（ｄｑ）とが同一の場合には、補正映像信号（ｄｑ´）はそのまま現在の映像信号（ｄｑ）になる。
【００６４】
また、計数値（ｑ）が０である場合、つまり第１の画素行である場合には、データ線による信号遅延や配線抵抗による悪影響がほとんどないため、現在の映像信号（ｄｑ）をそのまま補正映像信号（ｄｑ´）に出力する。
【００６５】
そして、計数値（ｑ）が大きくなるほど、つまりデータ駆動部５００から遠く離れている画素行であるほど、関数（ｆ）値を大きくして現在の映像信号（ｄｑ）に加えられる補正値を大きくする。このため、データ線（Ｄ１-Ｄｍ）の配線抵抗や信号遅延の影響を大きく受ける画素行であるほど関数（ｆ）値が増加する。
【００６６】
このようにすれば、データ駆動部５００から各画素（ＰＸ）に印加するデータ電圧は、現在の映像信号（ｄｑ）に対応するデータ電圧と同一であるか、または高いか低い電圧となる。
【００６７】
他の例として、補正部６０３は、式（１）を具体化した式（２）により補正映像信号（ｄｑ´）を生成することができる。
［数２］
ｄｑ´＝ｄｑ＋α（ｑ）（ｄｑ−ｄｑ-１）・・・（２）
ここで、α（０）＝０であり、ｒ＞ｑであればα（ｒ）＞α（ｑ）である。
【００６８】
前記式（２）のように、補正映像信号（ｄｑ´）は二つの映像信号（ｄｑ、ｄｑ-１）の差に計数値（ｑ）に比例して変わる値α（ｑ）を乗算した補正値によって決定される。
【００６９】
画素行の番号（計数値ｑ）が変われば、データ線の配線抵抗や信号遅延などが変化する。このような配線抵抗や信号遅延などの変化を考慮し、正常データ電圧の大きさを補正するときに、計数値ｑを考慮して補正映像信号（ｄｑ´）を生成する。これにより、計数値ｑの変化による画質劣化が減少する。
【００７０】
上記式（１）及び（２）は、各液晶表示装置の画像特性に応じて適宜決定される。
【００７１】
式（１）または式（２）により現在及び直前の映像信号（ｄｑ、ｄｑ-１）と画素行の番号である計数値（ｑ）とによって決定される補正映像信号（ｄｑ´）は、別途のルックアップテーブルに現在及び直前の映像信号（ｄｑ、ｄｑ-１）と計数値（ｑ）とに対する補正映像信号（ｄｑ´）の関数として記憶されることができる。
【００７２】
これとは異なり、式（１）または式（２）に基づかないで、電圧に対する液晶の透過率曲線、階調に対する液晶の透過率曲線または計数値（ｑ）などを考慮して、実験的に現在及び直前の映像信号（ｄｑ、ｄｑ-１）と画素行番号（ｑ）とに対する補正映像信号（ｄｑ´）を算出することができる。この算出された補正映像信号（ｄｑ´）は、現在及び直前の映像信号（ｄｑ、ｄｑ-１）と画素行番号（ｑ）に対する関数でルックアップテーブルに記憶される。
【００７３】
ところが、画素行番号（ｑ）と現在及び直前の映像信号（ｄｑ、ｄｑ-１）とに対する全補正映像信号（ｄｑ´）を記憶するためにはルックアップテーブルの大きさが非常に大きくなってしまう。そこで、例えば、一定階調間隔（例:１６階調）の現在及び直前の映像信号（ｄｑ、ｄｑ-１）と画素行番号（ｑ）とに対する補正映像信号（ｄｑ´）に対してのみ記憶し、これ以外の現在及び直前の映像信号（ｄｑ、ｄｑ-１）と画素行番号（ｑ）とに対しては補間法で演算して補正映像信号（ｄｑ´）を求めることが好ましい。
【００７４】
このような方法で、画素行番号（ｑ）及び直前の入力映像信号（ｄｑ-１）などを考慮して現在の映像信号（ｄｑ）に対応する補正映像信号（ｄｑ´）が求められれば、信号制御部６００は、この補正映像信号（ｄｑ´）を映像データ（ＤＡＴ）としてデータ駆動部５００に印加する。データ駆動部５００は、前述のように映像信号補正部６１０からの補正映像信号（ｄｑ´）に対応するデータ電圧を、データ線に印加する。
【００７５】
次に、図４を参照して本発明の一実施形態に係る液晶表示装置の表示動作について説明する。
【００７６】
図４は、本発明の一実施形態に係る液晶表示装置で使用される様々な信号の波形図であり、データ電圧（Ｖｄ）、垂直同期開始信号（ＳＴＶ）、ゲートクロック信号（ＣＰＶ）、出力イネーブル信号（ＯＥ１、ＯＥ２）及びゲート信号（ｇ１、ｇ２、ｇ３、…）を示している。
【００７７】
既に説明したように信号制御部６００は、垂直同期開始信号（ＳＴＶ）、ゲートクロック信号（ＣＰＶ）及び出力イネーブル信号（ＯＥ１、ＯＥ２）をゲート駆動部４００に提供して、走査が行なわれるようにする。
【００７８】
図４で、一つの画素行に印加されるゲートオン電圧（Ｖｏｎ）は、予備充電ゲートオン電圧（Ｖｏｎ１）と、予備充電ゲートオン電圧（Ｖｏｎ１）に連続する本充電ゲートオン電圧（Ｖｏｎ２）とを含む。予備充電ゲートオン電圧（Ｖｏｎ１）のパルス幅が、本充電ゲートオン電圧（Ｖｏｎ２）のパルス幅よりほぼ出力イネーブル信号（ＯＥ１、ＯＥ２）のパルス幅分だけ広い。これにより、例えば、偶数番目のゲート線や水平周期ごとに印加されるゲートオン電圧（Ｖｏｎ）と重なることがない。つまり、前段のゲート線に印加されるゲートオン電圧（Ｖｏｎ）のうち予備充電ゲートオン電圧（Ｖｏｎ１）と、次段のゲート線に印加されるゲートオン電圧（Ｖｏｎ）のうち予備充電ゲートオン電圧（Ｖｏｎ１）と、が重なることがない。ゲートオン電圧（Ｖｏｎ１、Ｖｏｎ２）のパルス幅の大きさは変更可能である。予備充電ゲートオン電圧（Ｖｏｎ１）のパルス幅の大きさは約１Ｈである。
【００７９】
垂直同期開始信号（ＳＴＶ）はゲートオン電圧（Ｖｏｎ）を出力するためのパルスを含む。
【００８０】
出力イネーブル信号（ＯＥ１、ＯＥ２）は、信号制御部６００からゲート駆動部４００に提供され、当該ゲート線（Ｇ１-Ｇｎ）を介して伝達されるゲートオン電圧（Ｖｏｎ）の持続時間、つまり、パルス幅を限定する役割を果たす。本実施形態で、第１出力イネーブル信号（ＯＥ１）は奇数番目のゲート線（Ｇ１、Ｇ３、…）に印加されるゲートオン電圧（Ｖｏｎ）の持続時間を限定し、第２出力イネーブル信号（ＯＥ２）は偶数番目のゲート線（Ｇ２、Ｇ４、…）に印加されるゲートオン電圧（Ｖｏｎ）の持続時間を限定する。この出力イネーブル信号（ＯＥ１、ＯＥ２）の波形は全て同一であり、信号制御部２００の制御よって変更されるか、互いに異なる波形を有することができる。図４で、出力イネーブル信号（ＯＥ１、ＯＥ２）が高い値を有するときは、ゲートオン電圧（Ｖｏｎ）の出力が抑制されてゲートオフ電圧（Ｖｏｆｆ）が出力され、低い値を有するときは、ゲートオン電圧（Ｖｏｎ）が出力される。より具体的に、出力イネーブル信号ＯＥ１のハイからローの立ち下がりエッジに応答して、奇数番目のゲート線（Ｇ１、Ｇ３、…）に予備充電ゲートオン電圧Ｖｏｎ１が印加され、出力イネーブル信号ＯＥ２のハイからローの立ち下がりエッジに応答して、奇数番目のゲート線（Ｇ１、Ｇ３、…）に本充電ゲートオン電圧（Ｖｏｎ２）が印加されるとともに、偶数番目のゲート線（Ｇ２、Ｇ４、…）に予備充電ゲートオン電圧Ｖｏｎ１が印加される。出力イネーブル信号（ＯＥ１、ＯＥ２）のハイ区間とロー区間の比は、予備充電が行われる時間と正常充電が行われる時間の比を考慮して必要によって調節可能であり、ハイ区間とロー区間の役割が逆であることもあり得る。
【００８１】
次に、予備充電と本充電が行われる動作を詳細に説明する。
【００８２】
まず、信号制御部６００は、ゲート駆動部４００に印加される垂直同期開始信号（ＳＴＶ）にパルスを生成し、ゲートクロック信号（ＣＰＶ）にパルスを生成する。信号制御部６００から伝達されるゲートクロック信号（ＣＰＶ）にパルスが伝達されれば、ゲート駆動部４００は、第１ゲート線（Ｇ１）から順次にゲートオン電圧（Ｖｏｎ）を出力する。この時、図４に示したように、二つの出力イネーブル信号（ＯＥ１、ＯＥ２）がゲート駆動部４００に印加されて予備充電ゲートオン電圧（Ｖｏｎ１）と本充電ゲートオン電圧（Ｖｏｎ２）とが連続して出力され、奇数番目のゲート線（Ｇ１、Ｇ３、…）に印加される。予備充電ゲートオン電圧（Ｖｏｎ１）と本充電ゲートオン電圧（Ｖｏｎ２）とを含むゲートオン電圧（Ｖｏｎ）は、出力イネーブル信号（ＯＥ１）によってそのパルス幅が決定される。一方、偶数番目のゲート線（Ｇ２、Ｇ４、…）に印加されるゲートオン電圧（Ｖｏｎ）は、出力イネーブル信号（ＯＥ２）によってそのパルス幅が決定される。これにより、奇数番目のゲート線（Ｇ１、Ｇ３、…）に印加されるゲートオン電圧（Ｖｏｎ）と偶数番目のゲート線（Ｇ２、Ｇ４、…）に印加されるゲートオン電圧（Ｖｏｎ）の差は、この出力イネーブル信号（ＯＥ１、ＯＥ２）のパルス出力差である１Ｈである。即ち、互いに直近に隣接した二つのゲート線に印加されるゲート電圧（Ｖｏｎ）において、先行するゲート線に印加されるゲート電圧（Ｖｏｎ）の本充電ゲートオン電圧（Ｖｏｎ２）が印加される時期と、後続するゲート線に印加されるゲートオン電圧（Ｖｏｎ）の予備充電ゲートオン電圧（Ｖｏｎ１）が印加される時期が互いに重なる。
【００８３】
このように、出力イネーブル信号（ＯＥ１、ＯＥ２）の波形によって定めれたパルス幅を各々有する予備充電ゲートオン電圧（Ｖｏｎ１）と本充電ゲートオン電圧（Ｖｏｎ２）とからなるゲートオン電圧（Ｖｏｎ）が第１ゲート線（Ｇ１）から順次に出力される。よって、第１ゲート線（Ｇ１）から順に当該ゲート線に接続された画素電極１９１は、データ線（Ｄ１-Ｄｍ）を介して伝達されるデータ電圧（Ｖｄ）を順次に印加を受け、当該画素（ＰＸ）に１Ｈの間、予備充電がなされる。予備充電が完了すればすぐ連続して、既に説明した映像信号補正部６１０などによる補正動作で生成される補正映像信号に対応するデータ電圧（Ｖｄ）が正常データ電圧に伝達されて本充電がなされる。第１画素行の予備充電のために印加されるデータ電圧は、所定の階調を有する任意のデータ電圧（Ｖｄ）として信号制御部６００に内蔵されたメモリなどに記憶されることができる。
【００８４】
既に説明したように、直前のゲート線と直近に隣接した次のゲート線とに印加されるゲートオン電圧（Ｖｏｎ）は、前の画素行の本充電期間と直近に隣接した画素行の予備充電期間が重なる。これにより、本充電のために第１ゲート線（Ｇ１）に接続された画素電極１９１に印加される正常データ電圧（Ｖｄ）が、第２ゲート線（Ｇ２）に接続された画素電極１９１にも同時に印加されて１Ｈの間予備充電の動作が行なわれる。
【００８５】
次に、予備充電期間が経過すれば、第２ゲート線（Ｇ２）に接続された画素電極１９１は、データ駆動部５００から伝達される正常データ電圧（Ｖｄ）で本充電が行なわれる。
【００８６】
このような動作により、第１ゲート線（Ｇ１）から順次にゲートオン電圧（Ｖｏｎ）が順次に印加されれば、全画素（ＰＸ）はすぐ直前のゲート線に接続された画素電極１９１に印加されるデータ電圧（Ｖｄ）で予備充電された後、既に説明した映像信号補正部６１０などによる動作によって生成される補正映像信号に対応するデータ電圧で連続して本充電される。そのため、ゲートオン電圧の全体印加時間が増加し、これによって各画素の充電時間が増加する。さらに、データ電圧差の小さい直近の隣接した画素のデータ電圧で予備充電を行なうため、所望の大きさを有する電圧への充電が容易に行なわれる。
【００８７】
次に、図５乃至図７を参照して、本発明による予備充電と本充電が行われるときと、従来技術による予備充電と本充電が行われるときの画素に充電される画素電圧の変化について説明する。
【００８８】
図５は、本発明の一実施形態に係る液晶表示装置で最大階調と最少階調を利用して文字Ｐを表示するとき、同一画素行に隣接している二つの画素（ＰＸａ、ＰＸｂ）の画素電圧の変化を説明するための図面であり、図６は、本発明の一実施形態に係る図５に示した二つの画素（ＰＸａ、ＰＸｂ）にそれぞれデータ電圧が印加されるときの画素電極電圧（画素電極に印加される電圧）と画素電圧（データ信号の電圧と共通電圧（Ｖｃｏｍ）との差である、液晶キャパシタＣＬＣの充電電圧）の変化を示したグラフであり、図７は、従来技術により図５に示した二つの画素（ＰＸａ、ＰＸｂ）にそれぞれデータ電圧が印加されるときの画素電極電圧と画素電圧の変化を示したグラフである。
【００８９】
図５に示すように、二つの画素（ＰＸａ、ＰＸｂ）は、例えばｒ番目の同一画素行に存在し、全て同一階調、例えばノーマリーブラックモードの液晶表示装置である場合、本充電のための正常データ電圧として最大階調であるホワイト用データ電圧の印加を受ける。ホワイト用データ電圧が二つの画素（ＰＸａ、ＰＸｂ）に印加されていることを表すために、図５では、二つの画素（ＰＸａ、ＰＸｂ）は、白抜きで表されている。
【００９０】
図６に示すように、ｒ番目のゲート線（Ｇｒ）に印加されるゲート信号（ｇｒ）は、（ｒ-１）番目のゲート線（Ｇｒ-１）に印加されるゲート電圧と１Ｈの間重なるため、（ｒ-１）番目の画素行から引き続いてゲートオン電圧がｒ番目の画素行に印加される。
【００９１】
図５及び図６に示したように、前の画素行（ｒ-１）の画素（ＰＸａ’）に印加される正常データ電圧は、最少階調であるブラック用データ電圧である。図５では画素（ＰＸａ’）は、黒で表されている。これにより、画素（ＰＸａ）に印加されるデータ電圧（ＳＤＡ）は、予備充電期間ではブラック用データ電圧となり、本充電期間では正常データ電圧、つまりホワイト用データ電圧となる。この時、既に説明した映像信号補正部などの動作によって画素行の番号、現在の映像信号及び直前の映像信号に基づいて現在の映像信号の補正値が算出される。このようにして、画素（ＰＸａ）の本充電のために印加されるデータ電圧（ＳＤＡ）は、現在の映像信号に対応するデータ電圧にこの補正値に該当するデータ電圧（△ＳＤＡ）が加算された大きさを有する。これに対し、図５及び図６に示したように、前の画素行（ｒ-１）の画素（ＰＸｂ’）に印加される正常データ電圧はホワイト用データ電圧である。この結果、画素（ＰＸｂ）に印加されるデータ電圧（ＳＤＢ）は、予備充電期間と本充電期間中において同一のホワイト用データ電圧となる。
【００９２】
前記データ電圧（ＳＤＡ、ＳＤＢ）は、当該データ線に沿って伝達されながら配線抵抗やデータ線と画素電極の間で形成される寄生キャパシタなどの影響で所定の時間遅延され、当該画素（ＰＸａ、ＰＸｂ）に画素電極電圧（ＶＤＡ、ＶＤＢ）として印加される。しかし、図６に示したように、画素（ＰＸｂ）に印加される画素電極電圧（ＶＤＢ）は、前の画素行のデータ電圧と同一であるので信号遅延が発生しない。
【００９３】
このような画素電極電圧（ＶＤＡ、ＶＤＢ）の印加により画素（ＰＸａ、ＰＸｂ）に充電される画素電圧（ＶＰＡ、ＶＰＢ）は図６と同様である。図６に示したように、画素（ＰＸａ、ＰＸｂ）の予備充電期間に印加されるデータ電圧（ＳＤＡ、ＳＤＢ）が異なるため、予備充電期間に充電される画素電圧（ＶＰＡ、ＶＰＢ）の大きさも同一ではない。しかし、既に画素（ＰＸａ）用データ電圧（ＳＤＡ）を補正して、補正値（△ＳＤＡ）分だけ大きい電圧が印加されるので、予備充電時発生する画素電圧（ＶＰＡ、ＶＰＢ）間の大きさの差は補償され、二つの画素電圧（ＶＰＡ、ＶＰＢ）間の大きさはほぼ同一である。この結果、予備充電時互いに異なる画素電圧（ＶＰＡ、ＶＰＢ）の差による二つの画素（ＰＸａ、ＰＸｂ）の輝度差が発生しない。
【００９４】
たとえ二つの画素電圧（ＶＰＡ、ＶＰＢ）が同一でなくても、人間の目で物を認識する時、周縁（または境界）部分をより明るい輝度で認識するので、ブラック色相とホワイト色相の境界である画素（ＰＸａ、ＰＸｂ）で発生する若干の輝度差はあまり見えない。  
【００９５】
ところが、従来技術により図５に示した画素（ＰＸａ、ＰＸｂ）にデータ電圧（ＳＤＡ、ＳＤＢ）が印加されるときには、二つの画素（ＰＸａ、ＰＸｂ）の予備充電期間に発生する画素電圧（ＶＰＡ、ＶＰＢ）の差を補償しない。つまり、画素（ＰＸａ）に印加されるデータ電圧（ＳＤＡ）には補正値に対応するデータ電圧（△ＳＤＡ）が加算されない。このため、図７に示すように、二つの画素（ＰＸａ、ＰＸｂ）の画素電圧（ＶＰＡ、ＶＰＢ）間では前記データ電圧（△ＳＤＡ）に基づいた電圧差（△Ｖ）が生じ、本充電期間に画素電圧（ＶＰＢ）が目標とする電圧（Ｖｗｈｉｔｅ）まで充電することができない。この結果、二つの画素（ＰＸａ、ＰＸｂ）間では、該電圧差（△Ｖ）分だけの輝度差が生じ、画質の不良が発生する。
【００９６】
以上の通り、本発明によれば、すぐに隣接したゲート線に伝達される二つのゲートオン電圧を所定の時間重畳することによって、ゲートオン電圧の全体印加時間が増加し、これによって各画素の充電時間が増加する。さらに、データ電圧差の小さいすぐに隣接した画素のデータ電圧で予備充電を行なうため、所望の大きさを有する電圧への充電が容易に行なわれる。
【００９７】
また、同一画素行において、予備充電されたデータ電圧を考慮して正常データ電圧の大きさを補正した後、画素に印加する。これにより、同一正常データ電圧で本充電がなされる同一画素行の画素で互いに異なる電圧で予備充電されるによって発生する輝度差が減少し、画質が良くなる。特に、正常データ電圧の大きさを補正するときに画素行の番号を考慮するので、データ線の配線抵抗や信号遅延などによる画質劣化が減少する。
【００９８】
次に、図８を参照して本発明の他の実施形態に係るゲート信号を生成する方法を説明する。
【００９９】
図８は、本発明の他の実施形態によりゲート信号を生成するために液晶表示装置で使用する垂直同期開始信号（ＳＴＶ）、ゲートクロック信号（ＣＰＶ）、出力イネーブル信号（ＯＥ）及びｒ番目画素行に印加されるゲート信号（ｇｒ）を示している。
【０１００】
図８に示したように、本実施形態では一つの出力イネーブル信号（ＯＥ）を使用する。
【０１０１】
これにより、図８に示したゲート信号（ｇｒ）は図４に示したゲート信号とは異なり、予備充電のためのゲートオン電圧（Ｖｏｎ１´）と本充電のためのゲートオン電圧（Ｖｏｎ２´）が連続して生成されるのではなく、各予備充電期間と本充電期間に出力イネーブル信号（ＯＥ）によって定められたゲートオン電圧が出力される。つまり、予備充電のためのゲートオン電圧（Ｖｏｎ１´）と本充電のためのゲートオン電圧（Ｖｏｎ２´）とが１Ｈ間隔で交互にパルスを出力する。そして、次段のゲート線Ｇｒ＋１に印加されるゲート信号（ｇｒ＋１）のうち予備充電のためのゲートオン電圧（Ｖｏｎ１´）が出力される期間は、前段のゲート線Ｇｒに印加されるゲート信号（ｇｒ）のうち本充電のためのゲートオン電圧（Ｖｏｎ２´）が出力される期間と重畳している。この本充電期間では、隣接する画素間の予備充電時に発生する画素電圧の差を補償するように補正された電圧が印加される。この結果、前述の実施形態と同様に、隣接する画素に予備充電時互いに異なる画素電圧が印加されても、その電圧差による二つの画素の輝度差が発生しない。
【０１０２】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【符号の説明】
【０１０３】
１００、２００  表示板
３００  液晶表示板組立体
４００  ゲート駆動部
５００  データ駆動部
８００  階調電圧生成部
６００  信号制御部
１９１  画素電極
２７０  共通電極
３  液晶層
２３０  カラーフィルタ
６１０  映像信号補正部
６０２  ラインメモリ
６０１  カウンター
６０３  補正部
【図１】
2014081647.tif 000003
【図２】
2014081647.tif 000004
【図３】
2014081647.tif 000005
【図４】
2014081647.tif 000006
【図５】
2014081647.tif 000007
【図６】
2014081647.tif 000008
【図７】
2014081647.tif 000009
【図８】
2014081647.tif 000010